(57)【要約】【課題】手すり壁上へのフェンス等の設置を簡易に行うことができる手すり壁用固定具を提供することを目的とする。【解決手段】手すり壁用固定具１は、手すり壁Ｗの端面に当接する天板部３と、この天板部３の両端縁からそれぞれ手すり壁Ｗの側壁面に沿う方向に延設された側板部４とを備える固定具本体２と、側板部４に取り付けられて手すり壁Ｗを両側から挟み込み固定する一対のクランプ部材６と、天板部３において手すり壁Ｗの端面の当接する側とは逆側の面に設けられてフェンスＦの支柱Ｆｐを固定するポール部５とを備えている。このような構成によれば、手すり壁上へのフェンス等の設置を簡易に行うことができる。【選択図】図２
2011106174.tif 000002
【特許請求の範囲】
【請求項１】
手すり壁に支柱を取り付けるための手すり壁用固定具であって、
前記手すり壁の端面に当接する天板部と、この天板部の両端縁からそれぞれ手すり壁の側壁面に沿う方向に延設された側板部とを備える固定具本体と、
前記側板部に取り付けられて前記手すり壁を両側から挟み込み固定する一対のクランプ部材と、
前記天板部において前記手すり壁の端面の当接する側とは逆側の面に設けられて前記支柱を固定する支柱固定部と、
を備える、手すり壁用固定具。
【請求項２】
前記固定具本体の前記側板部には、前記クランプ部材の取り付けのための取付部が前記側板部の延設方向に沿って複数段設けられている、請求項１に記載の手すり壁用固定具。
【請求項３】
前記天板部において前記手すり壁の端面の当接する側とは逆側の面にはパイプクランプが設けられている、請求項１または請求項２に記載の手すり壁用固定具。
【請求項４】
前記パイプクランプが、前記天板部に対して回動可能に取り付けられている、請求項３に記載の手すり壁用固定具。
【発明の詳細な説明】
【技術分野】
【０００１】
本発明は、手すり壁用固定具に関する。
【背景技術】
【０００２】
ビル等の建物の屋上には、防水や転落防止等を目的として、周縁部に手すり壁が立ち上げられていることが一般的である。この手すり壁上には、転落防止等を目的として、さらにフェンスを設けられることがある。このような場合、手すり壁の上面に被せられる笠木に固定金具を取り付け、この固定金具にフェンスの支柱を固定することが一般的である（例えば特許文献１を参照）。
【先行技術文献】
【特許文献】
【０００３】
【特許文献１】特開２００９−４１２６３号公報
【発明の概要】
【発明が解決しようとする課題】
【０００４】
しかし、上記のような方法では、固定具を固着するためのネジ孔を笠木に形成する等の加工を行わねばならず、面倒であった。
本発明は上記のような事情に基づいて完成されたものであって、手すり壁上へのフェンス等の設置を簡易に行うことができる手すり壁用固定具を提供することを目的とする。
【課題を解決するための手段】
【０００５】
本発明は、手すり壁に支柱を取り付けるための手すり壁用固定具であって、前記手すり壁の端面に当接する天板部と、この天板部の両端縁からそれぞれ手すり壁の側壁面に沿う方向に延設された側板部とを備える固定具本体と、前記側板部に取り付けられて前記手すり壁を両側から挟み込み固定する一対のクランプ部材と、前記天板部において前記手すり壁の端面の当接する側とは逆側の面に設けられて前記支柱を固定する支柱固定部材と、を備えるものである。
【０００６】
なお、本発明において、「手すり壁の端面に当接」とは、手すり壁の端面に笠木等の被覆材が被せられている場合に、この被覆材の表面に当接させることを含む意である。
【発明の効果】
【０００７】
本発明によれば、手すり壁上へのフェンス等の設置を簡易に行うことができる。
【図面の簡単な説明】
【０００８】
【図１】実施形態１の手すり壁用固定具を用いて手すり壁にフェンスを立設した様子を示す斜視図
【図２】実施形態１における手すり壁用固定具の斜視図
【図３】実施形態１の手すり壁用固定具を用いて手すり壁にフェンスを立設した様子を示す断面図
【図４】実施形態２の手すり壁用固定具を用いて手すり壁にフェンスを立設した様子を示す斜視図
【図５】実施形態２の手すり壁用固定具を用いて手すり壁にフェンスを立設した様子を示す断面図
【図６】実施形態２の手すり壁用固定具を用いて、手すり壁のコーナ部に補強用のパイプを差し渡した様子を示す斜視図
【図７】実施形態２の手すり壁用固定具を用いて、手すり壁と足場とをパイプにより連結した様子を示す斜視図
【発明を実施するための形態】
【０００９】
＜実施形態１＞
本発明の実施形態１を図１〜図３を参照しつつ説明する。本実施形態の手すり壁用固定具１は、建物の屋上等に設けられる手すり壁Ｗ上に、フェンスＦを立設するためのものである（図１参照）。この手すり壁用固定具１は、固定具本体２と、この固定具本体２に取り付けられる一対のクランプ部材６と、フェンスＦの支柱Ｆｐを取り付けるためのポール部５とを備えている（図２および図３参照）。
【００１０】
固定具本体２は、金属板を折り曲げ加工することによって形成されたもので、手すり壁Ｗの上面に当接する板状の天板部３と、この天板部３の両側縁からそれぞれ手すり壁Ｗの側壁面に平行に、下方に向かって延設される一対の側板部４、４とを備えている。天板部３の幅は、手すり壁用固定具１が設置される手すり壁Ｗの幅よりもやや大きくされており、手すり壁用固定具１の取り付け状態では、側板部４、４が手すり壁Ｗの側壁面からやや側方に離れた位置にあるようにされている。
【００１１】
天板部３の上面（手すり壁Ｗの上面に当接する側とは逆側の面）においてほぼ中心位置には、フェンスＦの支柱Ｆｐを取り付けるためのポール部５が立設されている。このポール部５は、金属により形成された中空のパイプからなり、パイプの軸方向が天板部３の板面と垂直となる姿勢で、天板部３に対して溶接等により固定されている。このポール部５は、外径が支柱Ｆｐの内径よりも一回り小さく形成されており、支柱Ｆｐの内部にちょうど納まるようにされている。
【００１２】
固定具本体２における一対の側板部４には、手すり壁Ｗを両側面から挟み付け固定するための一対のクランプ部材６、６が、それぞれ取り付け可能とされている。各クランプ部材６は、金属により矩形板状に形成されたクランプ板７と、このクランプ板７に取り付けられた長尺の軸ネジ部８とを備えている。軸ネジ部８は、クランプ板７の一面側においてほぼ中心位置に、その軸心方向がクランプ板７の板面と垂直となる姿勢で立設され、溶接等によりクランプ板７に固着されている。また、軸ネジ部８においてクランプ板７に固着された側とは逆側の端部には、軸ネジ部８を回転させるためのピン（図示せず）を通すためのピン穴９が貫通形成されている。また、クランプ板７において手すり壁Ｗと当接する側（軸ネジ部８が固着されている面とは逆側）の面には、手すり壁Ｗを傷つけることのないよう、ゴム等の弾性部材によりシート状に形成された緩衝部材１０が全面に渡って貼り付けされている。
【００１３】
一方、固定具本体２における一対の側板部４には、クランプ部材６を取り付けるための取付部１１が、上下２段に設けられている。取付部１１は、クランプ部材６の軸ネジ部８を挿通可能な挿通孔１２と、この挿通孔１２と整合する位置に固定されたナット１３とで構成されている。挿通孔１２は、軸ネジ部８の直径よりもやや大きな内径をもち、各側板部４の上端からやや下がった位置に、上下２段に形成されている。ナット１３は、クランプ部材６の軸ネジ部８をねじ付け可能なねじ孔を有しており、各側板部４の外側面（相手側の側板部４に対向する面とは逆側の面）に、それぞれ挿通孔１２の中心に対してねじ孔の中心が整合するようにして、溶接等により固着されている。
【００１４】
各クランプ部材６は、クランプ板７を設けてある側が固定具本体２の内側（天板部３と一対の側板部４とで囲まれた領域）に配されるようにして、軸ネジ部８を内側から挿通孔１２に通し、ナット１３のねじ孔にねじ込むことにより、固定具本体２に取り付けられる。取り付け状態では、一対のクランプ部材６のクランプ板７が、緩衝部材１０を設けた側の面が互いに向かい合うようにして、互いに平行な姿勢で保持される。
【００１５】
次に、上記のように構成された手すり壁用固定具１を用いてフェンスＦを手すり壁Ｗに取り付ける手順について説明する。本実施形態において取り付けの対象となる手すり壁Ｗは、ビル等の建物の屋上に設置されたものであって、その上端部には笠木Ｋが被せられている。笠木Ｋは、断面コ字状をなし、手すり壁Ｗの上面および側面上端部を覆うものである。
【００１６】
まず、一対のクランプ部材６の軸ネジ部８を、それぞれ固定具本体２における一対の側板部４に設けられた挿通孔１２に内側から通し、ナット１３にねじ込んでいくことで、クランプ部材６を固定具本体２に取り付ける。このとき、手すり壁用固定具１の手すり壁Ｗへの取り付け状態で、クランプ板７が、手すり壁Ｗの側面において笠木Ｋに覆われている領域を避けて手すり壁Ｗに対し直接に当接するように、上下いずれかの取付部１１を選んで軸ネジ部８の取り付けを行う。
【００１７】
クランプ部材６の取り付けが終了したら、固定具本体２を、天板部３の内側面（側板部４が延設されている側の面）を手すり壁Ｗの上端に被せられた笠木Ｋの上面に当接させるようにして、手すり壁Ｗに被せる。次に、一対のクランプ部材６のピン穴９にピン（図示せず）を差し込み、回転させることにより、クランプ板７を内側方向（手すり壁Ｗに近づく方向）に移動させる。各クランプ板７が手すり壁Ｗの側面に当接したら、更に軸ネジ部８を締め付けて、両クランプ板７により手すり壁Ｗを強く挟み付ける。これにより、固定具本体２が手すり壁Ｗに固定される。
【００１８】
一の固定具本体２の手すり壁Ｗへの固定が終了したら、同様の手順で、他の固定具本体２を手すり壁Ｗに対して所定の間隔で固定する。すべての固定具本体２の手すり壁Ｗへの固定が完了したら、フェンスＦの支柱Ｆｐを上方からポール部５に固定する。最後に、フェンスＦの横柱Ｆｂを支柱Ｆｐに取り付けて、手すり壁ＷへのフェンスＦの設置が完了する。
【００１９】
以上のように本実施形態によれば、笠木Ｋへのねじ孔の形成等の加工を行うことなく、手すり壁ＷへのフェンスＦの設置を簡易に行うことができる。
【００２０】
また、側板部４に上下２段の取付部１１が設けられていることにより、固定具本体２へのクランプ部材６の取り付け位置を上下方向に調整可能なようにされている。このような構成によれば、笠木Ｋ等の被覆材により手すり壁Ｗの側面上部が覆われている場合に、手すり壁Ｗの側面への被覆材の張り出し長さに応じて、被覆材に覆われている領域を避けてクランプ板７を手すり壁Ｗに対し直接に当接させるように、クランプ部材６の上下位置を調整することができる。これにより、手すり壁用固定具１を手すり壁Ｗに対してがたつきなく強固に固定することができる。
【００２１】
＜実施形態２＞
次に、本発明の実施形態２を図４〜図７を参照しつつ説明する。
本実施形態の手すり壁用固定具２０は、実施形態１のものと同様、固定具本体２と、この固定具本体２に取り付けられる一対のクランプ部材６と、フェンスＦの支柱Ｆｐを取り付けるためのポール部５とを備えている。これらの固定具本体２、クランプ部材６、ポール部５の構成は実施形態１と同様であるので、同一の符号を付して説明を省略する。
【００２２】
さて、本実施形態の手すり壁用固定具２０において、天板部３の上面（手すり壁Ｗの上面に当接する側とは逆側の面）には、一対のパイプクランプ２１、２１が取り付けられている。このパイプクランプ２１は、足場組み用のパイプクランプとして周知の構成のものであって、ベース部材２２の一端に、カバー部材２３の一端が支軸２４により回動可能に取り付けられている。そして、このベース部材２２とカバー部材２３との間にパイプを挟み込んだ状態で、カバー部材２３の自由端側をベース部材２２に対してボルト２５とナット２６により締め付け固定することで、ベース部材２２とカバー部材２３との間でパイプが締結されるようになっている。
【００２３】
一対のパイプクランプ２１、２１は、ポール部５を挟んで天板部３の幅方向（手すり壁Ｗの幅方向に沿う方向）の両側に各１個ずつが取り付けられている。一方のパイプクランプ２１Ａは、ベース部材２２Ａの底面を天板部３に当接させるようにして天板部３上に載置される。詳細には図示しないが、天板部３にはねじ孔が設けられており、パイプクランプ２１Ａにおけるベース部材２２Ａの底板部にも、天板部３のねじ孔と整合する位置にねじ孔が設けられている。そして、このねじ孔にボルトをねじ込むことにより、パイプクランプ２１Ａが天板部３に対して回動不能に固定されている。このパイプクランプ２１Ａは、天板部３に取り付けられた状態では、パイプの挿通方向が手すり壁Ｗの長さ方向に沿う向きとされている。
【００２４】
他方のパイプクランプ２１Ｂは、ベース部材２２Ｂの底面を天板部３に当接させるようにして天板部３上に載置される。天板部３にはねじ孔が設けられており、パイプクランプ２１Ｂにおけるベース部材２２Ｂの底板部には、天板部３のねじ孔と整合する位置に挿通孔が設けられている。このパイプクランプ２１Ｂの固定には段付きボルトが用いられ、この段付きボルトを挿通孔に上方から差し込み、天板部３のねじ孔にねじ込むことにより、パイプクランプ２１Ｂが天板部３に取り付けられる。このパイプクランプ２１Ｂは、天板部３に取り付けられた状態で、段付きボルトの軸心周りに回動可能とされている。
【００２５】
本実施形態の手すり壁用固定具２０の手すり壁Ｗへの取り付け、および、この手すり壁用固定具２０上へのフェンスＦの立設の手順は、実施形態１と同様である。加えて、本実施形態の手すり壁用固定具２０にはパイプクランプ２１が設けられているので、このパイプクランプ２１を用いて補強用パイプＰを取り付けることができる（図４参照）。
【００２６】
一対のパイプクランプ２１Ａ、２１Ｂのうち一方のパイプクランプ２１Ａに補強用パイプＰを取り付けるには、長尺の補強用パイプＰを、その長さ方向が手すり壁Ｗの長さ方向に沿うようにして、複数の手すり壁用固定具２０のうち最も外側に位置する手すり壁用固定具２０に取り付けられたパイプクランプ２１Ａに挿通する。次いで、隣接する手すり壁用固定具２０のパイプクランプ２１Ａに、順次補強用パイプＰを通していく。全てのパイプクランプ２１Ａに補強用パイプＰを挿通させたら、カバー部材２３の自由端側をベース部材２２に対してボルト２５とナット２６により締め付け固定することで、ベース部材２２とカバー部材２３との間で補強用パイプＰを締結する。他方のパイプクランプ２１Ｂへの補強用パイプＰの取り付けも、同様に行えばよい。
【００２７】
このように補強用パイプＰを取り付けることにより、手すり壁Ｗに対するフェンスＦの固定を強固にすることができる。すなわち、強風等により支柱Ｆｐの強い振れが生じると、その振れに伴って、手すり壁用固定具２０のずれや緩み、浮き等が生じることがある。しかし、本実施形態では、パイプクランプ２１および補強用パイプＰを介して複数の手すり壁用固定具２０を相互に連結することにより、このようなずれ・浮き等を防止することができる。
【００２８】
さらに、一対のパイプクランプ２１Ａ、２１Ｂのうち一方のパイプクランプ２１Ｂが、天板部３に対して回動可能に取り付けられている。このため、このパイプクランプ２１Ｂに締結される補強用パイプＰの設置角度を自在に設定できる。したがって、例えば図６に示すように、手すり壁Ｗのコーナ部を挟んで設置された２つの手すり壁用固定具１の間に補強用パイプＰを差し渡して固定し、コーナ部の補強を行うことができる。あるいは、図７に示すように、手すり壁Ｗに固定された手すり壁用固定具２０と、建物の外側に組まれた足場Ｓとの間を、補強用パイプＰにより連結することも可能である。
【００２９】
＜他の実施形態＞
本発明は上記記述及び図面によって説明した実施形態に限定されるものではなく、例えば次のような実施形態も本発明の技術的範囲に含まれる。
（１）実施形態１では、クランプ部材６を取り付けるための取付部１１が２段設けられていたが、取付部は１段のみ設けられていてもよく、また３段以上設けられていても構わない。
【００３０】
（２）上記実施形態では、クランプ板７が矩形板状に形成されていたが、クランプ板の形状は上記実施形態の限りではなく、例えば円盤状であってもよい。
【００３１】
（３）実施形態２では、一の手すり壁用固定具２０に一対のパイプクランプ２１Ａ、２１Ｂが設けられ、一方は回動不能、他方は回動可能とされていたが、双方とも回動不能、あるいは双方とも回動可能に取り付けられていても構わない。さらに、手すり壁用固定具に設けられるパイプクランプの数は１個のみでも構わない。
【符号の説明】
【００３２】
１...手すり壁用固定具
２...固定具本体
３...天板部
４...側板部
５...ポール部（支柱固定部）
６...クランプ部材
１１...取付部
２１...パイプクランプ
【図１】
2011106174.tif 000003
【図２】
2011106174.tif 000004
【図３】
2011106174.tif 000005
【図４】
2011106174.tif 000006
【図５】
2011106174.tif 000007
【図６】
2011106174.tif 000008
【図７】
2011106174.tif 000009
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
手すり壁に支柱を取り付けるための手すり壁用固定具であって、
前記手すり壁の端面に当接する天板部と、この天板部の両端縁からそれぞれ手すり壁の側壁面に沿う方向に延設された側板部とを備える固定具本体と、
前記側板部に取り付けられて前記手すり壁を両側から挟み込み固定する一対のクランプ部材と、
前記天板部において前記手すり壁の端面の当接する側とは逆側の面に設けられて前記支柱を固定する支柱固定部と、を備え、
前記天板部において前記手すり壁の端面の当接する側とは逆側の面にはパイプクランプが設けられている、手すり壁用固定具。
【請求項２】
前記パイプクランプが、前記支柱固定部を挟んで前記手すり壁の幅方向に沿う方向の両側に一対設けられ、前記一対のパイプクランプのうち一方はパイプ挿通方向が前記手すり壁の長さ方向に沿う向きとされた状態で前記天板部に対して回動不能に固定され、他方は前記天板部に対して回動可能に取り付けられている、請求項１に記載の手すり壁用固定具。
【手続補正２】
【補正対象書類名】明細書
【補正対象項目名】０００５
【補正方法】変更
【補正の内容】
【０００５】
本発明は、手すり壁に支柱を取り付けるための手すり壁用固定具であって、前記手すり壁の端面に当接する天板部と、この天板部の両端縁からそれぞれ手すり壁の側壁面に沿う方向に延設された側板部とを備える固定具本体と、前記側板部に取り付けられて前記手すり壁を両側から挟み込み固定する一対のクランプ部材と、前記天板部において前記手すり壁の端面の当接する側とは逆側の面に設けられて前記支柱を固定する支柱固定部と、を備え、前記天板部において前記手すり壁の端面の当接する側とは逆側の面にはパイプクランプが設けられているものである。
【手続補正３】
【補正対象書類名】明細書
【補正対象項目名】０００８
【補正方法】変更
【補正の内容】
【０００８】
【図１】参考例１の手すり壁用固定具を用いて手すり壁にフェンスを立設した様子を示す斜視図
【図２】参考例１における手すり壁用固定具の斜視図
【図３】参考例１の手すり壁用固定具を用いて手すり壁にフェンスを立設した様子を示す断面図
【図４】実施形態２の手すり壁用固定具を用いて手すり壁にフェンスを立設した様子を示す斜視図
【図５】実施形態２の手すり壁用固定具を用いて手すり壁にフェンスを立設した様子を示す断面図
【図６】実施形態２の手すり壁用固定具を用いて、手すり壁のコーナ部に補強用のパイプを差し渡した様子を示す斜視図
【図７】実施形態２の手すり壁用固定具を用いて、手すり壁と足場とをパイプにより連結した様子を示す斜視図
【手続補正４】
【補正対象書類名】明細書
【補正対象項目名】０００９
【補正方法】変更
【補正の内容】
【０００９】
＜参考例１＞
本発明の参考例１を図１〜図３を参照しつつ説明する。本参考例の手すり壁用固定具１は、建物の屋上等に設けられる手すり壁Ｗ上に、フェンスＦを立設するためのものである（図１参照）。この手すり壁用固定具１は、固定具本体２と、この固定具本体２に取り付けられる一対のクランプ部材６と、フェンスＦの支柱Ｆｐを取り付けるためのポール部５とを備えている（図２および図３参照）。
【手続補正５】
【補正対象書類名】明細書
【補正対象項目名】００１５
【補正方法】変更
【補正の内容】
【００１５】
次に、上記のように構成された手すり壁用固定具１を用いてフェンスＦを手すり壁Ｗに取り付ける手順について説明する。本参考例において取り付けの対象となる手すり壁Ｗは、ビル等の建物の屋上に設置されたものであって、その上端部には笠木Ｋが被せられている。笠木Ｋは、断面コ字状をなし、手すり壁Ｗの上面および側面上端部を覆うものである。
【手続補正６】
【補正対象書類名】明細書
【補正対象項目名】００１９
【補正方法】変更
【補正の内容】
【００１９】
以上のように本参考例によれば、笠木Ｋへのねじ孔の形成等の加工を行うことなく、手すり壁ＷへのフェンスＦの設置を簡易に行うことができる。
【手続補正７】
【補正対象書類名】明細書
【補正対象項目名】００２１
【補正方法】変更
【補正の内容】
【００２１】
＜実施形態２＞
次に、本発明の実施形態２を図４〜図７を参照しつつ説明する。
本実施形態の手すり壁用固定具２０は、参考例１のものと同様、固定具本体２と、この固定具本体２に取り付けられる一対のクランプ部材６と、フェンスＦの支柱Ｆｐを取り付けるためのポール部５とを備えている。これらの固定具本体２、クランプ部材６、ポール部５の構成は参考例１と同様であるので、同一の符号を付して説明を省略する。
【手続補正８】
【補正対象書類名】明細書
【補正対象項目名】００２５
【補正方法】変更
【補正の内容】
【００２５】
本実施形態の手すり壁用固定具２０の手すり壁Ｗへの取り付け、および、この手すり壁用固定具２０上へのフェンスＦの立設の手順は、参考例１と同様である。加えて、本実施形態の手すり壁用固定具２０にはパイプクランプ２１が設けられているので、このパイプクランプ２１を用いて補強用パイプＰを取り付けることができる（図４参照）。
【手続補正９】
【補正対象書類名】明細書
【補正対象項目名】００２９
【補正方法】変更
【補正の内容】
【００２９】
＜他の実施形態＞
本発明は上記記述及び図面によって説明した実施形態に限定されるものではなく、例えば次のような実施形態も本発明の技術的範囲に含まれる。
（１）参考例１では、クランプ部材６を取り付けるための取付部１１が２段設けられていたが、取付部は１段のみ設けられていてもよく、また３段以上設けられていても構わない。